(57)【要約】【課題】  消毒等または乾燥を可能とする椅子（ソファー、乗物の座席を含む）およびベッド用マットを提供する。【解決手段】  椅子（ソファー、乗物の座席を含む）１の座席２（背もたれを含む）またはベッド用マットに開口４を有する空洞３を設け、その開口に蓋５を設け、その空洞３内に、消毒剤、脱臭剤、消臭剤（香料を含む）、殺菌剤のいずれか１種または複数種および／または乾燥剤を直接または容器に入れして出し入れを可能とし、それら収納した消毒剤等および／または乾燥剤で、消毒、脱臭、消臭、殺菌および／または乾燥を可能とする。【選択図】      図１
2005130994.tif 000002
【特許請求の範囲】
【請求項１】
椅子（ソファー、車椅子・自動車・航空機・船舶等乗物の座席を含む）の座席（背もたれを含む）、または、ベッド用マットに開口を有する空洞を設け、その開口に開閉用の蓋を設け、前記空洞内に、消毒剤、脱臭剤、消臭剤（香料を含む）、および、殺菌剤（以下これらを消毒剤等と言う）のいずれか１種または複数種および／または乾燥剤を直接または容器に入れて出し入れ可能とし、それら収納した消毒剤等および／または乾燥剤で、消毒、脱臭、消臭および、殺菌（以下これらを消毒等と言う）および／または乾燥を可能とした椅子またはマット。
【請求項２】
消毒剤等による消毒等が、消毒剤等の自然発散によることを特徴とする請求項１に記載の椅子またはマット。
【請求項３】
容器がスプレー容器であって、その容器を空洞内に係止し、空洞外から前記スプレー容器を押して消毒剤等を噴霧させることを可能としたことを特徴とする請求項１に記載の椅子またはマット。
【請求項４】
スプレー容器を押す手段が、開口の蓋に孔を設けてなり、該孔から指先または棒先を挿入して前記スプレー容器を押すことを可能とした請求項３に記載の椅子またはマット。
【請求項５】
空洞とその空洞と外方に通ずる孔を設けた椅子の座席、または、ベッド用マットと、前記孔に嵌合でき、その嵌合時に上方または側方が前記空洞内側に開口した容器と、前記容器を前記孔に着脱自在に係止できる係止手段とよりなり、前記容器に消毒剤等および／または乾燥剤、あるいは、消毒剤等および／または乾燥剤を収納した容器を入れ、前記椅子またはマットを消毒等および／または乾燥することを可能とした椅子またはマット。
【請求項６】
空洞と、その空洞と外方に通ずる孔を設けた椅子の座席またはベッド用マットと、
消毒剤等の液体を収納したスプレー容器と、
前記スプレー容器の噴霧作動用突起を外方へ突出させる貫通孔を設け、かつ、前記椅子の座席またはベッド用マットの孔に嵌合でき、その嵌合時に上方または側方が前記空洞内側に開口した容器と、
前記スプレー容器の噴霧作動用突起を前記容器の内側から前記貫通孔に挿入し、その先端を前記容器の外面より突出させ、前記スプレー容器と前記容器とを着脱自在に係止できる係止手段と、
前記容器を空洞内に通ずる前記孔に着脱自在に嵌合係止できる係止手段と、
よりなり、前記容器に消毒剤等の液体を収納した前記スプレー容器を着脱自在に係止し、前記容器を前記空洞に通ずる孔に着脱自在に嵌合係止し、前記容器の貫通孔より突出した前記スプレー容器の噴霧作動用突部の先端を押して消毒剤等を噴霧させ、前記椅子またはマットを消毒等することを可能とした椅子またはマット。
【発明の詳細な説明】
【技術分野】
【０００１】
この発明は、消毒、脱臭、消臭、殺菌（本願においてこれらを消毒等という）または乾燥（除湿を含む）の手段を設けた椅子（本願においてソファー、車椅子・自動車・航空機・船舶等乗物の座席を含む）およびベッドのマットに関するものである。
【背景技術】
【０００２】
椅子やマットは汗や体温で湿り、菌が発生したり、悪臭を発散させたりするので、従来は、乾燥等の剤を混入または挟んだシートを椅子のカバーシートに使用している。例えば、特許文献１では白炭を粉末状にし、不織布（布）とサンドイッチさせたものを座椅子や車の座席に使用したものが記載されている。
【特許文献１】実用新案登録第３０４６７２４号公報    （課題を解決するための手段の項、図１、図４）
【発明の開示】
【発明が解決しようとする課題】
【０００３】
従来の椅子のカバーシートに乾燥等の剤を混入または挟んだシートを使用したものは、経年変化により乾燥等の効果が低下し、遂には効果が無くなるが、その場合に、カバーシートを取替えるか、または椅子の座席を取替えなければならず、手数とコストがかかる。また、従来の椅子では消毒等はできない。
【課題を解決するための手段】
【０００４】
椅子の座席（本願において背せたれを含む）、または、ベッド用マットに開口を有する空洞を設け、その開口に開閉用の蓋を設け、前記空洞内に、消毒剤、脱臭剤、消臭剤（香料を含む）、および、殺菌剤（本願においてこれらを消毒剤等と言う）のいずれか１種または複数種および／または乾燥剤を直接または容器に入れて出し入れ可能とし、それら収納した消毒剤等および／または乾燥剤で、消毒等および／または乾燥を可能とする。
【０００５】
消毒剤等による消毒等は、消毒剤等の自然発散で行う。
【０００６】
容器がスプレー容器であって、その容器を空洞内に係止し、空洞外から前記スプレー容器を押して消毒剤等を噴霧させることを可能とする。
【０００７】
スプレー容器を押す手段は、開口の蓋に孔を設けてなり、該孔から指先または棒先を挿入して前記スプレー容器を押すことを可能とする。
【０００８】
空洞とその空洞と外方に通ずる孔を設けた椅子の座席、または、ベッド用マットと、前記孔に嵌合でき、その嵌合時に上方または側方が前記空洞内側に開口した容器と、前記容器を前記孔に着脱自在に係止できる係止手段とよりなり、前記容器に消毒剤等および／または乾燥剤、あるいは、消毒剤等および／または乾燥剤を収納した容器を入れ、前記椅子の座席またはマットを消毒等および／または乾燥することを可能とする。
【０００９】
空洞と、その空洞と外方に通ずる孔を設けた椅子の座席またはベッド用マットと、
消毒剤等の液体を収納したスプレー容器と、
前記スプレー容器の噴霧作動用突起を外方へ突出させる貫通孔を設け、かつ、前記椅子の座席またはベッド用マットの孔に嵌合でき、その嵌合時に上方または側方が前記空洞内側に開口した容器と、
前記スプレー容器の噴霧作動用突起を前記容器の内側から前記貫通孔に挿入し、その先端を前記容器の外面より突出させ、前記スプレー容器と前記容器とを着脱自在に係止できる係止手段と、
前記容器を空洞内に通ずる前記孔に着脱自在に嵌合係止できる係止手段と、
よりなり、前記容器に消毒剤等の液体を収納した前記スプレー容器を着脱自在に係止し、前記容器を前記空洞に通ずる孔に着脱自在に嵌合係止し、前記容器の貫通孔より突出した前記スプレー容器の噴霧作動用突部の先端を押して消毒剤等を噴霧させ、前記椅子またはマットを消毒等することを可能とする。
【発明の効果】
【００１０】
この発明に係る椅子またはマットは、その空洞内に消毒等および／または乾燥の剤を容易に収納でき、消毒等および／または乾燥が容易にでき、カバーシートを取り替える必要がなく、消毒等または乾燥の剤を容易に補充、取替えができ、コストも安くて済む。
【発明を実施するための最良の形態】
【００１１】
椅子１の座席２に空洞３を設け、座席２の外面に、空洞３に通ずる開口４を設け、その開口４に開閉用の蓋５を設ける。開口４は、位置は限定しないが、座席２の下方や側方に設ける。
ソファーや乗物の座席のように背もたれがある場合には、背もたれにも空洞と開口を設け、その開口に蓋を取付けけるのが好ましい。
座席２のカバーは、通気性、非通気性のいずれの材料でもよい。
【００１２】
空洞３は、座席内にスプリングを取付けた場合には、それらスプリングの間であってもよい。
【００１３】
空洞３内には、消毒剤等および／または乾燥剤の塊状体、粉体、粒状（錠剤を含む）または液体を収納する。
【００１４】
消毒剤等または乾燥剤が粉状、粒状、または、液体である場合には、消毒剤等または乾燥剤を容器６に入れて容器６を空洞３内に収納する。消毒剤等または乾燥剤が塊状体である場合には、それを容器６に入れてもよいが、容器６に入れないで、直接空洞３内に入れてもよい。
消毒剤等または乾燥剤が液体である場合には、容器６内にスポンジ、脱脂面等吸湿材を入れ、それに液体を染み込ませるのが好ましい。
【００１５】
容器６は、上面部に小孔を開けるか、または、上面部を通気性材料で構成する。塊状体、粒体を収納する場合の容器６は、容器６の上面部だけでなく側面部も通気性材料で構成するか小孔を開けるのが好ましい。
【００１６】
消毒剤等または乾燥剤が無くなったり、効力が薄れたり、効力が無くなった場合には、蓋５を開けて消毒剤等または乾燥剤を補充または取り替えを行う。
【００１７】
図２および図３に他の実施の形態を示す。
座席２の側面の蓋５ａには、指先や棒等の先を挿入しうる孔７を設け、空洞３の奥にアングルプレートまたは平面視コの字状の当て板８を立設し、空洞３内で蓋５ａと当て板８との間に、液状の消毒剤等を入れたスプレー容器９を入れる。当て板８は、スプレー容器９の位置を確定し、後述のようにスプレー容器９を押したときや椅子等が傾いたときに、スプレー容器９が移動しないようにするためである。
当て板８の代わりに、突部でもよく、または、スプレー容器９を嵌入できる枠を設けてもよい。
【００１８】
図３に示すように、スプレー容器９は、液体収納筒１０に、バネ（図示省略）で外方へ付勢された噴霧孔１１を有する頭部１２が、液体収納筒１０内に設けられたポンプ１３に連繋している。
そして、スプレー容器９は、図においては、液体収納筒１０の底面が蓋５ａの内面に近接し、頭部１２の先端面が当て板８または突部に近接している。スプレー容器９は、図とは逆の状態で空洞３内に収容してもよい。その場合には、スプレー容器９の位置を固定するために、枠（図示省略）を設けるのが好ましい。
なお、頭部１２以外に、噴霧ノズルと噴霧作動突部を設けてもよい。その場合には、噴霧作動突部を蓋５ａの孔７に対向させるか、または、当て板８に対向させる。
【００１９】
この椅子では、蓋５ａを開閉してスプレー容器９を出し入れする。
空洞に収納したスプレー容器９を使用する場合には、蓋５ａの孔７に指先またはドライバー等棒先を挿入して、スプレー容器９を押す。
図３に示す状態においては、指先等で液体収納筒１０の底を押すと、頭部１２が当て板８または突部で阻止されて頭部１２がポンプ１３を押し、液体収納筒１０内の消毒剤等の液体が噴霧孔１１より霧状となって噴出し、座席２の内部およびカバーシート等の消毒等を行い、カバーシートに通気性材料を用いた場合には、小孔を通って座席の表面より出てその表面の消毒等も行う。
【００２０】
図３の状態とは反対にスプレー容器９を反対の方向にして入れた場合には、蓋５ａの孔７から指先等を挿入すると頭部１２が押され、底が当て板８等で阻止され、噴霧孔１１より消毒剤等の液体が霧状となって噴出する。
【００２１】
消毒剤等の溶液が無くなった場合には、蓋５ａを開けてスプレー容器９を取り出し、液体収納筒１０に新しい消毒剤等の溶液を補充するか、または、新しいスプレー容器９と入れ換える。
【００２２】
スプレー容器９の頭部１１を押す手段は、上記の手段に限定せず、他の手段を用いてもよい。
例えば、蓋５に孔を設け、その孔にバネで外方向に付勢された突部を設け、その突部の内方向側をスプレー容器９の頭部１２または底部に対向させ、突部を押すと、バネに抗して突部の内方向側が頭部１２または底部を押す構成にしてもよい。
この突部は、蓋に設けないで、蓋の近辺に設けてもよい。
【００２３】
スプレー容器は上記スプレー容器９に限定しない。押すと中の液体が霧状となって噴出する構成のものであればよい。
【００２４】
本願発明に係る椅子の形態は図示したものに限らない。
また、図示した椅子以外の椅子やマットにも、上記椅子の脱臭等または乾燥のための構成と同様の構成で、消毒等または乾燥のための構成を実施することができる。
【００２５】
消毒剤等の容器、乾燥剤等の容器、または、スプレー容器の係止（固定）または取り出しの手段は上記の手段に限定されない。
他の手段の一例を図４乃至図７に基づき説明する。
【００２６】
図４に示すとおり、椅子等の座席の枠１４に孔１５を設け、その孔の内壁をカバーするために、一端にフランジ１６を設けた金属製または合成樹脂製の筒状体１７を、フランジ１６を座席等の枠１４の外面に当接させて孔１５に嵌合し、フランジ１６を釘等で枠１４に固定する。筒状体１７の内壁には、少なくとも対向する２ケ所に小凹部１９を設ける。孔１５およびそれに嵌合する筒状体１７は円筒状または角筒状のいずれでもよい。
枠１４が合成樹脂製等で強度がある場合には、筒状体１７を省略して小凹部１９を孔１５の内壁に設けてもよい。
【００２７】
容器２０は上方が開口し、筒状体１７または孔１５に嵌合できる形状とする。
容器２０の下方の角（かど）部に、容器２０を筒状体１７または孔１５に着脱自在に固定するための係止部材２１を取付け、少なくともその取付け位置と反対側の側壁に、筒状体１７の小凹部１９の１つに嵌入できる突部２２を設ける。
容器２０の代わりに側方が開口する容器を用いてもよい。
【００２８】
係止部材２１は、その構成を限定しないが、図４乃至図６に示すものは、合成樹脂製または鋼製で、底板２３の一縁にコの字状の湾入部２４を設け、その奥の縁に断面逆Ｕ字状の立ち上がりバネ部（以下バネ部と言う）２５の一端縁を接続して設け、バネ部２５の他端縁は、底板２３よりも少々下方へ突出し、その端縁に、底板２３と反対方向にフランジ部26（爪部）を突設している。
バネ部２５のフランジ部２６側の外壁に、筒状体１７の内壁の小凹部１９に突入できる突部２７を設ける。
【００２９】
この係止部材２１を容器２０の下方角に取り付ける。その取付け方法は次のとおりである。
すなわち、容器２３の下方角の側壁部に、バネ部２５の底板２３側の側面を当接させ、底面２３を容器２０の底面に当接させて釘等を用いるか接着等の方法で固定する。
この場合には、容器２０と筒状体１７または孔１５の内壁面の間に間隙が生ずるので、バネ部２５の厚み（Ｕ字状外壁間隔）よりも僅かに浅い深さの切り欠きを設け、その切り欠き側面にバネ部２５の前記側面を当接させて取付けるのが好ましい。
【００３０】
係止部材２１を取付けた容器２０を筒状体１７または孔１５に嵌合して取付ける場合には、容器２０の開口を筒状体１７または孔１５の開口に対向させて孔に押し込む。その際に、バネ部２５の突部２７が筒状体１７または孔１５の内壁に押されＵ字状両端縁の間隔が狭まり、突部２７が筒状体１７または孔１５の内壁の小凹部１９に対向する位置まで来ると、バネ部２５の弾性で突部２７が小凹部１９に突入し、容器２０の側壁の突部２２が筒状体１７または孔１５の内壁の他の小凹部１９に突入し、容器２０は筒状体１７または枠１４に固定する。
なお、この固定された容器２０は、筒状体１７または孔１５の開口の蓋の役目も果たす。
【００３１】
容器２０を筒状体１７または枠１４から外したいときには、係止部材２１のフランジ部２６を爪先で下方に引くと、バネ部２５の下方間隔が狭まるので、突部２７が小突部１９から抜けようとし、フランジ部２６を強く引くと、突部２７が小突部１９から抜け、容器２０が僅かに傾いて、容器２０の他の突部２２がそれに対応する小凹部１９から抜け、フランジ部２６を更に下方へ引き、他の手を容器に添えて容器２０を抜き外すことができる。
【００３２】
上記実施例では、係止部材２１の底板２３を容器２０に固定したが、底板２３を座席側、すなわち、筒状体１７のフランジ１６の下面または直接枠１４の孔の下方開口周縁部に固定してもよい。この場合には、係止部材２１のフランジ２６のない係止部材（図示省略）を用い、バネ部２５の突部２７を容器２０の側面の小凹部１９に突入させる。
容器２０の取り外しは、バネ部２５で、筒状体１７または孔１５の内壁に当接していない方の端、すなわち、容器２０側の端を対向する端の方へ押して、突部２７の小凹部１９への嵌入を緩め、容器２０を引いて容器２０を外す。
この場合には、筒状体１７または孔１５に嵌合した容器２０を抜き取り易くするために、容器２０を筒状体１７または孔１５に嵌合したときに、容器２０の底部が筒状体１７または枠１４の下方へ少々突出する構成にするか、または、容器２０の底面に突部等摘み部を設けるのが好ましい。
【００３３】
容器２０に固体（塊状体、粉体、粒体、顆粒、錠剤）の消毒剤等および／または乾燥剤を直接収納するか、または、固体の脱臭剤および／または乾燥剤、あるいは、消毒剤等の液体を収納し発散可能な容器を収納して、上記の要領で筒状体１７または孔１５に嵌入固定する。消毒剤等は発散して座席等を消毒等し、乾燥剤は湿気を吸収して座席等を乾燥させる。
【００３４】
消毒剤等のスプレー容器の取付けを図６および図７に示す。
すなわち、上方が開口し、底上面に円形の凹部２８を設け、凹部２８の中心に貫通孔２９を設け、凹部２８の上方周縁に、中心方向に２つの弧状のフランジ３０を、互いの両端縁都の間に間隔３１、３１をおいて設けた容器３２のいずれかの側部に上記容器２０の場合と同様に突部２２を設け、かつ、係止部材２１を取り付ける。
【００３５】
スプレー容器３３は、図に示すとおり、本体３４の底面に、円盤状の突部３５を設け、その突部３５の先端縁に、外方向に対象的にフランジ３６、３６を設け、更に、突部３５の中心に、本体３４内のポンプ（図示省略）を作動させる円柱状の突部３７をバネ（図示省略）で外方向に付勢して設ける。
【００３６】
突部３５の高さは、容器３２の凹部２８の底とフランジ３０の下面との間隔よりやや低い高さとする。突部３５の直径は、凹部２８のフランジ３０の先端円の直径よりも小さくする。
２つのフランジ３６は、それらの先端縁は同一円周を形成し、その直径は、容器３２の凹部２８の直径よりもやや小さいものとし、フランジ３０の先端縁の径よりも大きくする。フランジ３６の幅さは凹部２８の対向する２つのフランジ３０の間隔３１よりやや狭いものとする。
突部３７の突出の長さは、容器３２の貫通孔２９の長さよりも長くする。
【００３７】
本体３４の上面には、ノズル（（図示省略）の先端が突出する。図中３８はそのノズルのカバーで、多数の小孔を設けている。このカバーは省略できる。
【００３８】
このスプレー容器３３を容器３２に次のように取り付ける。
すなわち、スプレー容器３３のフランジ３６、３６を容器３２の２つのフランジ３０の両端の間隔３１、３１に、突部３７を凹部２８の孔に対向させて押し込み、本体３４を回転させて、２つのフランジ３６、３６を容器のフランジ３０、３０の下方に位置させる。本体３４を持ち上げても、フランジ３６がフランジ３０で阻止されて、本体３４は容器３２から外れない。
スプレー容器３３を容器３２から取り外す場合には、本体３４を回転して、スプレー容器３３のフランジ３６、３６を容器３２の２つのフランジ３０の両端の間隔３１、３１に対向させて持ち上げれば、スプレー容器３３は容器３２から外れる。
【００３９】
スプレー容器３３を取付けた容器３２を、容器２０の取付けについての上記要領と同様にして、スプレー容器３３から座席等の筒状体１７または孔１５内に嵌入取り付ける。
容器３３を座席等から取り外す要領は、容器２０の取り外しについての上記要領と同様である。
なお、座席等の筒状体１７または孔１５内に嵌入取り付けた容器３２は筒状体１７または孔１５の開口の蓋の役目も果たす。
【００４０】
椅子等の空洞の開口を椅子等の側方に設けた場合には、容器３２の代わりに、側方が開口した容器を用いる。その容器の場合には、開口に対向する側板の内壁に、凹部２８、貫通孔２９、フランジ３０を設けて、スプレー容器３３をその側板に係止する。
【００４１】
容器３２にスプレー容器３３を取付けないで、容器３３に、消毒剤等および／または乾燥剤を入れた容器を収納してもよい。
【図面の簡単な説明】
【００４２】
【図１】椅子の斜視図である。
【図２】他の実施の形態の椅子の斜視図である。
【図３】座席の空洞にスプレー容器を収納した状態の説明図である。
【図４】座席の孔に容器を取付けた要部断面図である。
【図５】座席の孔に容器を取付けるための係止部材の（Ａ）は底面図、（Ｂ）は断面図である。
【図６】容器にスプレー容器を取付け、その容器を座席の孔に取付けた要部断面図である。
【図７】スプレー容器と容器との係合構造の説明図である。
【符号の説明】
【００４３】
１  椅子
２  座席
３  空洞
４  開口
５  蓋
６  容器
７  孔
８  当て板
９  スプレー容器
１０  液体収納筒
１１  噴霧孔
１２  頭部
１３  ポンプ
１４  枠
１５  孔
１６  フランジ
１７  筒状体
１８  釘
１９  小凹部
２０  容器
２１  係止部材
２２  突部
２３  底板
２４  湾入部
２５  バネ部
２６  フランジ
２７  突部
２８  凹部
２９  貫通孔
３０  フランジ
３１  間隔
３２  容器
３３  スプレー容器
３４  本体
３５  突部
３６  フランジ
３７  突部
【図１】
2005130994.tif 000003
【図２】
2005130994.tif 000004
【図３】
2005130994.tif 000005
【図４】
2005130994.tif 000006
【図５】
2005130994.tif 000007
【図６】
2005130994.tif 000008
【図７】
2005130994.tif 000009
【手続補正書】
【提出日】平成15年11月4日(2003.11.4)
【手続補正１】
【補正対象書類名】図面
【補正対象項目名】図１
【補正方法】変更
【補正の内容】
【図１】
2005130994.tif 000010